(57)【要約】      （修正有）【課題】インサートに対して角度を調整可能な切削工具を提供する。【解決手段】バイト１０と、インサート取付座２０と、微調整ウォーム軸と、インサート４０と、押圧機構５０と、を備え、インサート取付座２０は、回転可能にインサート取付座保持部に設置され、微調整ウォーム軸は、インサート取付座２０の連動部のウォームギアと螺合するようにバイト１０に貫設され、インサート４０は、刃先がバイト１０のヘッド部１３から突出するように着脱可能にインサート取付座２０に締結され、押圧機構５０は、バイト１０に締結されると共に、インサート取付座２０を押圧する押圧部を含む。【選択図】図１
0003222302.tif 000002
【実用新案登録請求の範囲】
【請求項１】
バイトと、インサート取付座と、微調整ウォーム軸と、インサートと、押圧機構と、を備え、
前記バイトは、ホルダと、該ホルダの軸線方向に対する一端に形成されるヘッド部と、バイト連結部を有し、半径方向に沿って該ヘッド部に凹設されるインサート取付座保持部と、を含み、
前記インサート取付座は、回転軸が前記ヘッド部の軸線方向に対して直交する方向に該ヘッド部に回転可能に連結されるように前記インサート取付座保持部に設置されると共に、回転可能に前記バイト連結部と連結するインサート取付座連結部と、外周面に位置するようにウォームギアが設けられる連動部と、を含み、
前記微調整ウォーム軸は、前記インサート取付座の連動部のウォームギアと螺合するように前記バイトに貫設され、
前記インサートは、刃先が前記バイトのヘッド部から突出するように着脱可能に前記インサート取付座に締結され、
前記押圧機構は、前記バイトに締結されると共に、該バイトに連接される押圧機構連結部と、該押圧機構連結部の一側に設置されるように前記インサート取付座の回転軸の方向に沿って該インサート取付座を押圧する押圧部と、を含むことを特徴とするインサートの角度を調整可能な切削工具。
【請求項２】
前記微調整ウォーム軸の軸線方向に沿って、前記バイトに、ウォーム軸収容孔が凹設されることで、前記インサート取付座保持部に開口部が形成され、そのうち、該微調整ウォーム軸が、該インサート取付座保持部の開口部を通して、前記インサート取付座の連動部と螺合するように該バイトのウォーム軸収容孔に貫設されることを特徴とする請求項１に記載のインサートの角度を調整可能な切削工具。
【請求項３】
前記バイトが、前記微調整ウォームの軸線と直交する方向に、前記ウォーム軸収容孔と連通するように設置される止めネジ孔と、前記止めネジ孔と螺合するように連結される止めネジと、をさらに含むことを特徴とする請求項２に記載のインサートの角度を調整可能な切削工具。
【請求項４】
前記ウォーム軸収容孔の両端にそれぞれ開口が形成され、そのうち、一端における開口の穴径は、前記微調整ウォーム軸の外径より小さく、他端における開口の穴径は、該微調整ウォーム軸の外径より大きいと共に、該微調整ウォーム軸の外径より大きい開口に栓詰めが設置されることを特徴とする請求項３に記載のインサートの角度を調整可能な切削工具。
【請求項５】
前記微調整ウォーム軸の両端にそれぞれへこみ部が凹設され、また、前記栓詰めにおける、該へこみ部と対応する箇所に貫通孔が貫設され、該貫通孔の穴径が該へこみ部の断面寸法より大きいことを特徴とする請求項４に記載のインサートの角度を調整可能な切削工具。
【請求項６】
前記インサート取付座に、インサートを締結させるインサート取付凹部が凹設されることを特徴とする請求項１から請求項５のいずれか１項に記載のインサートの角度を調整可能な切削工具。
【請求項７】
前記バイトと前記インサート取付座にそれぞれ対応するように角度目盛が設けられることを特徴とする請求項６に記載のインサートの角度を調整可能な切削工具。
【考案の詳細な説明】
【技術分野】
【０００１】
本考案は、切削工具に関し、特にインサートの角度を調整することができる切削工具に関するものである。
【背景技術】
【０００２】
図８に示すように、従来の面取り加工に用いられる切削工具は、主に、バイト９０と該バイト９０の先端部に着脱可能に装着されるインサート９１とを備え、該インサート９１の刃先部分が、該バイト９０の軸線方向に対し、ある角度をなすように設置することで、該バイト９０を回転させて、該インサート９１の刃先を介して加工対象物を所定の角度に切削加工する。
【０００３】
しかしながら、従来の面取り加工に用いられる切削工具は、インサート９１とバイト９０との間の角度が調整不能であることから、異なる角度で切削加工を行う時、様々な角度の、異なる面取り用切削工具を沢山用意する必要があり、また、市販のものは殆ど、よく使うバイト角度の切削工具しか販売されていないことから、特殊角度の切削加工に応じて、例えば５２度の場合には、特注しなければならないので、時間や経費がかかっていた。
【考案の概要】
【考案が解決しようとする課題】
【０００４】
本考案は、上記の課題に鑑みてなされたものであり、本考案の主な目的は、インサートに対して角度を調整可能な切削工具を提供することにある。
【課題を解決するための手段】
【０００５】
バイトと、インサート取付座と、微調整ウォーム軸と、インサートと、押圧機構と、を備え、
前記バイトは、ホルダと、該ホルダの軸線方向に対する一端に形成されるヘッド部と、バイト連結部を有し、半径方向に沿って該ヘッド部に凹設されるインサート取付座保持部と、を含み、
前記インサート取付座は、回転軸が前記ヘッド部の軸線方向に対して直交する方向に該ヘッド部に回転可能に連結されるように前記インサート取付座保持部に設置されると共に、回転可能に前記バイト連結部と連結するインサート取付座連結部と、外周面に位置するようにウォームギアが設けられる連動部と、を含み、
前記微調整ウォーム軸は、前記インサート取付座の連動部のウォームギアと螺合するように前記バイトに貫設され、
前記インサートは、刃先が前記バイトのヘッド部から突出するように着脱可能に前記インサート取付座に締結され、
前記押圧機構は、前記バイトに締結されると共に、該バイトに連接される押圧機構連結部と、該押圧機構連結部の一側に設置されるように前記インサート取付座の回転軸の方向に沿って該インサート取付座を押圧する押圧部と、を含む。
【０００６】
上記の技術手段によれば、本考案のインサートの角度を調整可能な切削工具は、下記の利点を有する。
【０００７】
１、所要の角度に応じて、インサートの刃先とバイトの軸線方向に対する角度が調可能であるので、単一切削工具により、異なる角度の切削加工を簡単に行うことができる。
【０００８】
２、インサートとバイトとの相対角度を滅多に使用しない角度にも設定することができるので、特殊な角度の切削加工も簡単に行うことができる。
【０００９】
３、インサートが着脱可能に前記インサート取付座に締結されるので、刃先が摩耗した場合、簡単に交換することができる。
【図面の簡単な説明】
【００１０】
【図１】本考案の好ましい実施形態の斜視図である。
【図２】本考案の好ましい実施形態の分解斜視図である。
【図３】本考案の好ましい実施形態の平面図である。
【図４】図３内のＡ−Ａ線断面図である。
【図５】図４内のＢ−Ｂ線断面図である。
【図６】図３内のＣ−Ｃ線断面図である。
【図７】本考案の好ましい実施形態の使用状態を示す参考図である。
【図８】従来の切削工具を示す斜視図である。
【考案を実施するための形態】
【００１１】
本考案の目的を達成するために採用された技術手段を、以下の図面及び好ましい実施形態により説明する。
【００１２】
図１〜図３に示すように、本考案に係るインサートの角度を調整可能な切削工具は、バイト１０と、インサート取付座２０と、微調整ウォーム軸３０と、インサート４０と、押圧機構５０と、二つの止めネジ６０と、を備えるものである。
【００１３】
前記バイト１０は、ホルダ１１と、ヘッド部１３と、インサート取付座保持部１５と、ウォーム軸収容孔１７と、二つの止めネジ孔１９と、を含み、該ホルダ１１が回転主軸に連結されることで、バイト１０が連動して回転する。前記ヘッド部１３は、その外径が前記ホルダ１１の外径より大きく、該ホルダ１１の軸線方向に沿って前記回転主軸から離れた端部に形成される。前記インサート取付座保持部１５は、前記ヘッド部１３において径方向に凹設され、固定ネジ孔１５２が形成される軸心を有するバイト連結部１５１と、円心が前記軸心に位置する円弧状な側壁１５３とを有する。前記ウォーム軸収容孔１７は、前記ヘッド部１３に凹設されることで、前記インサート取付座保持部１５の側壁１５３に開口部１５５が形成される。前記止めネジ孔１９は、ウォーム軸収容孔１７と連通するように前記ヘッド部１３に凹設される。
【００１４】
前記インサート取付座２０は、回転可能に前記ヘッド部１３と連結するように前記バイト連結部１５１に設置され、インサート取付座連結部２１と、連動部２３と、インサート取付凹部２５と、を含み、そのうちインサート取付座連結部２１は、回転可能にバイト連結部１５１と連結され、該バイト連結部１５１の軸心を中心として前記バイト１０の軸線方向と直交する回転軸を有し、また、該インサート取付座連結部２１には、前記バイト連結部１５１の固定ネジ孔１５２と係合するショルダーネジ２１１が設けられ、これにより、前記インサート取付座２０が回転可能にヘッド部１３に締結される。前記連動部２３は、ウォームギア２３１を有し、前記インサート取付座２０の外周面に形成され、ここでのインサート取付座２０の外周面はが、前記インサート取付座連結部２１の回転軸を円心とする円弧面であり、該円弧面に前記ウォームギア２３１が設けられ、前記インサート取付凹部２５は、前記インサート取付座２０の回転軸の方向に沿って該インサート取付座２０に凹設される。
【００１５】
図２、図５及び図６に示すように、前記微調整ウォーム軸３０は、前記インサート取付座２０の連動部２３のウォームギア２３１と螺合するように前記バイト１０のウォーム軸収容孔１７に貫設され、これにより、該インサート取付座２０に連動させて回転させる。また、前記微調整ウォーム軸３０は、前記インサート取付座２０の回転軸と直交する方向に沿って回転自在に前記バイト１０のウォーム軸収容孔１７の内に設けられ、前記インサート取付座保持部１５の開口部１５５を通して、前記インサート取付座２０の連動部２３のウォームギア２３１と螺合される。なお、前記ウォーム軸収容孔１７が、前記微調整ウォーム軸３０の軸線方向に沿って延び、両端に第１開口１７１と第２開口１７２がそれぞれ形成され、そのうち、該第１開口１７１の穴径が前記微調整ウォーム軸３０の外径より小さく、一方、該微調整ウォーム軸３０を容易に挿入させるために、該第２開口１７２の穴径が前記微調整ウォーム軸３０の外径より大きく設計されており、さらに、該微調整ウォーム軸３０の脱落を防ぐため、該第２開口１７２に栓詰め３５が設置され、該微調整ウォーム軸３０の両端にそれぞれ、へこみ部３１が凹設され、該各へこみ部３１の断面寸法が前記第１開口１７１の断面寸法より小さく、前記栓詰め３５における、該へこみ部３１と対応する箇所に貫通孔３５１が貫設され、該貫通孔３５１の穴径がへこみ部３１の断面寸法より大きく設計されていることがより好ましい。この構成によれば、調整具を前記ウォーム軸収容孔１７の第１開口１７１又は該栓詰め３５の貫通孔３５１を通して、前記微調整ウォーム軸３０のへこみ部３１へ挿入することにより、該微調整ウォーム軸３０を回転させることができる。
【００１６】
図２及び図３に示すように、前記インサート４０は、着脱可能に前記インサート取付座２０のインサート取付凹部２５に締結され、その刃先の部分が、前記バイト１０の軸線に対してある角度をなすように前記バイト１０のヘッド部１３から突出する。
【００１７】
図２及び図４に示すように、前記押圧機構５０は、前記バイト１０と締結されると共に、前記インサート取付座２０の回転軸の方向に沿って該バイト１０と締結される押圧機構連結部５１と、前記インサート取付座２０の回転軸の方向に沿って該インサート取付座２０をしっかりと押圧する押圧部５３を有する。
【００１８】
図２及び図６に示すように、前記二つの止めネジ６０はそれぞれ、前記バイト１０の止めネジ孔１９と螺合され、そのうち、前記微調整ウォーム軸３０の軸線と直交する方向に沿って該微調整ウォーム軸３０と当接することで、該微調整ウォーム軸３０の回転を防ぐ。
【００１９】
図３及び図７に示すように、インサート４０の角度を調整するときは、まず、前記押圧機構５０と止めネジ６０を緩め、調整具を前記微調整ウォーム軸３０のへこみ部３１に挿入して、該微調整ウォーム軸３０を回転させ、前記インサート取付座２０を回転させれば、該インサート４０とバイト１０の軸線方向との角度を調整することができる。そして、所定の角度に設定した後、該押圧機構５０と止めネジ６０をねじ込んで、該インサート取付座２０と微調整ウォーム軸３０に当接して押圧する。更に、前記ヘッド部１３及びインサート取付座２０上に互いに対応する副尺角度目盛１３１と主尺角度目盛２７を設置することで、該副尺角度目盛１３１と主尺角度目盛２７の重ね合わせによって、前記インサート４０の刃先とバイト１０の軸線方向との間の相対角度が分かる。
【００２０】
上述の技術により、本考案の、インサートの角度を調整可能な切削工具は、以下の利点を有する。
【００２１】
１、所要の角度に応じて、前記インサート４０の刃先とバイト１０の軸線方向に対する角度を調整することができるので、単一の切削工具によって異なる角度の切削加工を簡単に行うことができる。
【００２２】
２、前記インサート４０とバイト１０との相対角度を、滅多に使わない角度に設定することができるので、特殊な角度の切削加工を簡単に行うことができる。
【００２３】
３、前記インサート４０が着脱可能に前記インサート取付座２０に締結されるので、刃先が摩耗した場合、簡単に交換することができる。
【００２４】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００２５】
１０       バイト
１１       ホルダ
１３       ヘッド部
１３１    副尺角度目盛
１５       インサート取付座保持部
１５１    バイト連結部
１５２    固定ネジ孔
１５３    側壁
１５５    開口部
１７       ウォーム軸収容孔
１７１    第１開口
１７２    第２開口
１９       止めネジ孔
２０       インサート取付座
２１       インサート取付座連結部
２１１    ショルダーネジ
２３       連動部
２３１    ウォームギア
２５       インサート取付凹部
２７       主尺角度目盛
３０       微調整ウォーム軸
３１       へこみ部
３５       栓詰め
３５１    貫通孔
４０       インサート
５０       押圧機構
５１       押圧機構連結部
５３       押圧部
６０       止めネジ
９０       バイト（従来）
９１       インサート（従来）
【図１】
0003222302.tif 000003
【図２】
0003222302.tif 000004
【図３】
0003222302.tif 000005
【図４】
0003222302.tif 000006
【図５】
0003222302.tif 000007
【図６】
0003222302.tif 000008
【図７】
0003222302.tif 000009
【図８】
0003222302.tif 000010